(57)【要約】【課題】簡易な処理によって、人物が存在する位置に応じた機器を制御する技術を提供する。【解決手段】検出部８０は、第１の無線通信方式によって報知された識別情報を非受信である第１状態から、前記識別情報を受信する第２状態へ遷移したことを検出する。通信部７６は、第１状態から第２状態への遷移を示す情報と、識別情報との組合せを、第１の無線通信方式とは異なった第２の無線通信方式で送信する。検出部８０は、第２状態から第１状態へ遷移したことも検出する。通信部７６は、第２状態から第１状態への遷移を示す情報と、識別情報との組合せも第２の無線通信方式で送信する。【選択図】図４
2016171484.tif 000002
【特許請求の範囲】
【請求項１】
第１の無線通信方式によって報知された識別情報を非受信である第１状態から、前記識別情報を受信する第２状態へ遷移したことを検出する検出部と、
前記検出部において検出した遷移であって、かつ前記第１状態から前記第２状態への遷移を示す情報と、前記識別情報との組合せを、前記第１の無線通信方式とは異なった第２の無線通信方式で送信する送信部とを備え、
前記検出部は、前記第２状態から前記第１状態へ遷移したことも検出し、
前記送信部は、前記検出部において検出した遷移であって、かつ前記第２状態から前記第１状態への遷移を示す情報と、前記識別情報との組合せも前記第２の無線通信方式で送信することを特徴とする無線端末装置。
【請求項２】
無線端末装置によって生成された（１）第１の無線通信方式によって報知された識別情報を非受信である第１状態から、前記識別情報を受信する第２状態へ遷移したことを示す情報と前記識別情報との第１の組合せ、（２）前記第２状態から前記第１状態へ遷移したことを示す情報と前記識別情報との第２の組合せをそれぞれ前記第１の無線通信方式とは異なった第２の無線通信方式経由で受信する受信部と、
前記受信部において受信した前記第１の組合せと前記第２の組合せをもとに、機器を制御する指示部と、
を備えることを特徴とする制御装置。
【請求項３】
第１の無線通信方式で識別情報を報知する報知装置と、
（１）前記識別情報を非受信である第１状態から、前記識別情報を受信する第２状態へ遷移したことを示す情報と前記識別情報との第１の組合せ、（２）前記第２状態から前記第１状態へ遷移したことを示す情報と前記識別情報との第２の組合せをそれぞれ前記第１の無線通信方式とは異なった第２の無線通信方式で送信する無線端末装置と、
前記無線端末装置から送信された前記第１の組合せと前記第２の組合せを受信する制御装置とを備え、
前記制御装置は、前記第１の組合せと前記第２の組合せをもとに、機器を制御することを特徴とする制御システム。
【発明の詳細な説明】
【技術分野】
【０００１】
本発明は、制御システムに関し、特に複数の無線通信方式を使用する無線端末装置、制御装置、制御システムに関する。
【背景技術】
【０００２】
集合住宅におけるセキュリティシステムにおいて、共用部分で来訪者の行動範囲や行動パターンを監視し制御するために、ロビーに設置されたカメラが来訪者の顔を撮影して、顔の特長や目の虹彩などの人物固有の識別可能な情報が取得される。また、共用部分は複数のゾーンに分割されており、ゾーンごとにもカメラが設置される。各カメラによって取得された情報をもとに、来訪者がゾーンのどこに居るかが判定されるとともに、進入を許可するゾーンの施錠や機器の制御がなされる（例えば、特許文献１参照）。
【先行技術文献】
【特許文献】
【０００３】
【特許文献１】特開２００４−２４０８３９号公報
【発明の概要】
【発明が解決しようとする課題】
【０００４】
カメラで撮影した画像をもとに、人物を判定する場合、ＣＰＵ（Ｃｅｎｔｒａｌ  Ｐｒｏｃｅｓｓｉｎｇ  Ｕｎｉｔ）、ディスク容量、メモリ容量等のリソース消費が大きくなってしまう。また、カメラに人物が写っていない場合は、特徴が捉えられず誤判定がなされてしまう。一方、セキュリティシステムとは別に、集合住宅内の人物の位置が特定されれば、当該人物の行動に適した機器の制御が可能になる。
【０００５】
本発明はこうした状況に鑑みなされたものであり、その目的は、簡易な処理によって、人物が存在する位置に応じた機器を制御する技術を提供することにある。
【課題を解決するための手段】
【０００６】
上記課題を解決するために、本発明のある態様の無線端末装置は、第１の無線通信方式によって報知された識別情報を非受信である第１状態から、識別情報を受信する第２状態へ遷移したことを検出する検出部と、検出部において検出した遷移であって、かつ第１状態から第２状態への遷移を示す情報と、識別情報との組合せを、第１の無線通信方式とは異なった第２の無線通信方式で送信する送信部とを備える。検出部は、第２状態から第１状態へ遷移したことも検出し、送信部は、検出部において検出した遷移であって、かつ第２状態から第１状態への遷移を示す情報と、識別情報との組合せも第２の無線通信方式で送信する。
【０００７】
本発明の別の態様は、制御装置である。この装置は、無線端末装置によって生成された（１）第１の無線通信方式によって報知された識別情報を非受信である第１状態から、識別情報を受信する第２状態へ遷移したことを示す情報と識別情報との第１の組合せ、（２）第２状態から第１状態へ遷移したことを示す情報と識別情報との第２の組合せをそれぞれ第１の無線通信方式とは異なった第２の無線通信方式経由で受信する受信部と、受信部において受信した第１の組合せと第２の組合せをもとに、機器を制御する指示部と、を備える。
【０００８】
本発明のさらに別の態様は、制御システムである。この制御システムは、第１の無線通信方式で識別情報を報知する報知装置と、（１）識別情報を非受信である第１状態から、識別情報を受信する第２状態へ遷移したことを示す情報と識別情報との第１の組合せ、（２）第２状態から第１状態へ遷移したことを示す情報と識別情報との第２の組合せをそれぞれ第１の無線通信方式とは異なった第２の無線通信方式で送信する無線端末装置と、無線端末装置から送信された第１の組合せと第２の組合せを受信する制御装置とを備える。制御装置は、第１の組合せと第２の組合せをもとに、機器を制御する。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、簡易な処理によって、人物が存在する位置に応じた機器を制御できる。
【図面の簡単な説明】
【００１１】
【図１】本発明の実施例に係る制御システムの構成を示す図である。
【図２】図１の報知装置の構成を示す図である。
【図３】図３（ａ）−（ｂ）は、図２の報知装置から報知されるパケット信号のフォーマットを示す図である。
【図４】図１の無線端末装置の構成を示す図である。
【図５】図４の無線端末装置から送信される信号の概要を示す図である。
【図６】図１の制御装置の構成を示す図である。
【図７】図６の記憶部に記憶された履歴のデータ構造を示す図である。
【図８】図８（ａ）−（ｂ）は、図６の登録部に登録すべき条件を設定するための画面を示す図である。
【図９】図６の記憶部に記憶されたデータベースのデータ構造を示す図である。
【図１０】図１の制御システムによる通信手順を示すシーケンス図である。
【図１１】図４の無線端末装置による通信手順を示すフローチャートである。
【図１２】図６の制御装置による制御手順を示すフローチャートである。
【発明を実施するための形態】
【００１２】
本発明を具体的に説明する前に、概要を述べる。本発明の実施例は、マンション等の集合住宅に設置されるインターホンシステムに関するが、インターホン以外の用途にも使用されるので、これを制御システムと呼ぶ。制御システムは、集合住宅内における人物の位置を特定し、特定した位置および人物に応じたサービスを提供する。これまで、集合住宅内における人物の位置の特定は、カメラで撮影した画像を解析することによってなされていた。前述のごとく、画像の解析よりも、簡易に、かつ正確に位置を特定することが要求される。
【００１３】
これに対応するために、本実施例に係る制御システムでは、Ｂｌｕｅｔｏｏｔｈ（登録商標）などの近距離無線通信技術を使用した報知装置を集合住宅内のさまざまな場所に設置する。さまざまな場所は、ロビー、廊下等の共用部分だけではなく、各居室も含む。各報知装置は、互いに異なった識別情報を保持しており、識別情報を定期的に報知する。集合住宅内を移動している人物は、無線端末装置を所持する。無線端末装置は、近距離無線通信技術に対応するとともに、携帯電話システムにも対応しており、当該無線端末装置を識別するためのＩＤ（以下、「ユーザＩＤ」という）を保持する。人物が報知装置の近傍を移動すると、当該報知装置から報知された識別情報は、無線端末装置に受信される。
【００１４】
その際、無線端末装置は、識別情報の受信を開始した場合であるか、識別情報の受信を終了した場合であるかも判定する。識別情報の受信を開始した場合とは、報知装置から報知された識別情報を受信可能なエリアの内に入った場合であり、識別情報の受信を終了した場合とは、報知装置から報知された識別情報を受信可能なエリアの外に出て行った場合である。ここでは、前者を「ＩＮ」と呼び、後者を「ＯＵＴ」と呼ぶので、判定結果である状態情報は、「ＩＮ」あるいは「ＯＵＴ」の情報を示す。無線端末装置は、携帯電話システムを使用して、識別情報と状態情報とユーザＩＤとの組合せを制御装置に送信する。識別情報によって報知装置が特定され、ユーザＩＤによって無線端末装置が特定され、状態情報によって無線端末装置の移動が特定されるので、これらによって、どの人物がどの位置を移動しているか特定される。
【００１５】
さらに、特定した位置および人物に応じたサービスを提供するために、制御装置は、照明、エアコン等の機器を制御可能であるとともに、位置的条件、時間的条件等に対応した機器の制御内容を予め記憶する。制御装置は、組合せを受信すると、これが位置的条件、時間的条件等に合う場合、それに対応した制御を機器に対して実行する。
【００１６】
図１は、本発明の実施例に係る制御システム１００の構成を示す。制御システム１００は、報知装置１０と総称される第１報知装置１０ａ、第２報知装置１０ｂ、第３報知装置１０ｃ、第４報知装置１０ｄ、第５報知装置１０ｅ、第６報知装置１０ｆ、第７報知装置１０ｇ、無線端末装置１２、基地局装置１４、ネットワーク１６、サーバ装置１８、制御装置２０、ＧＷ２２、ロビーインターホン２４、照明制御装置２６、宅配ボックス２８、共用部カメラ３０、エレベータＩＦ３２、居室親機３４、居室子機３６、エアーコンディショナ３８、第１無線通信方式４０、第２無線通信方式４２、共用部幹線４４、占有幹線４６を含む。また、報知装置１０、無線端末装置１２、基地局装置１４、ネットワーク１６、サーバ装置１８、制御装置２０、ＧＷ２２、第１無線通信方式４０、第２無線通信方式４２は、通信システム４８に含まれる。図１では、通信システム４８には、第１報知装置１０ａだけが示されているのが、他の報知装置１０も含まれる。居室親機３４、居室子機３６、エアーコンディショナ３８、第７報知装置１０ｇは、居室５０に設置される。
【００１７】
制御システム１００は、例えば、集合住宅内に設置される。ここでは、制御システム１００のうち、従来のインターホンシステムに対応した部分をまず説明する。ロビーインターホン２４は、ロビーに設置されたインターホンである。ロビーインターホン２４に備えられたボタンは、来訪者が集合住宅内に入る際に押される。ロビーインターホン２４は、共用部幹線４４を介して制御装置２０に接続され、制御装置２０は、占有幹線４６を介して居室親機３４に接続される。制御装置２０は、機械室や管理人室などの共用スペースに設置され、ロビーインターホン２４と居室親機３４との間の信号を中継する。共用部幹線４４、占有幹線４６は、ロビーインターホン２４からの呼出信号、居室親機３４からの応答信号等を伝送するための伝送路である。共用部幹線４４、占有幹線４６には、ロビーインターホン２４において撮影された来訪者の画像データ、ロビーインターホン２４と居室親機３４から出力される来訪者の音声データ、居住者の音声データも伝送する。
【００１８】
居室親機３４は、居室５０内に設置されており、住戸機とも呼ばれる。また、居室親機３４には、居室５０の玄関に設置された居室子機３６が接続される。居室子機３６は、ドアインターホンとも呼ばれる。なお、図１では、説明を単純化するため１つの居室５０に設置された１台の居室親機３４と居室子機３６だけを示す。しかしながら、集合住宅内には、多数の居室５０が存在し、各居室５０にも居室親機３４と居室子機３６が設置される。複数の居室親機３４のそれぞれは、占有幹線４６経由で制御装置２０に接続される。そのため、制御装置２０は、ロビーインターホン２４と複数の居室親機３４との間を中継する。このような構成において、来訪者は、ロビーインターホン２４に対して部屋番号を入力して、訪問先の居室親機３４を発呼させる。
【００１９】
このような構成に加えて、共用部幹線４４には、照明制御装置２６、宅配ボックス２８、共用部カメラ３０、エレベータＩＦ３２が接続され、占有幹線４６には、エアーコンディショナ３８が接続される。照明制御装置２６は、共用部分に設置された照明を点灯したり、消灯したりする。宅配ボックス２８は、鍵を備えており、施錠あるいは解錠が可能である。共用部カメラ３０は、共用部分の画像を撮影する。なお、共用部分にはロビーも含まれるが、ここでは、図を簡易にするために、ロビーインターホン２４にカメラ機能が含まれているとする。そのため、共用部カメラ３０は、ロビー以外の共用部分に設置される。エレベータＩＦ３２は、エレベータの動作を制御する。エアーコンディショナ３８では、動作、停止、温度調整が可能である。ここで、照明制御装置２６、宅配ボックス２８、共用部カメラ３０、エレベータＩＦ３２、エアーコンディショナ３８等は、「機器」と総称される場合もある。機器は制御装置２０に接続されており、制御装置２０は、共用部幹線４４、占有幹線４６を介して機器の動作を制御可能である。
【００２０】
報知装置１０は、集合住宅内に複数設置される。図１において、報知装置１０の数は「７」であるが、これに限定されない。具体的に説明すると、各報知装置１０は、共用部幹線４４あるいは占有幹線４６に接続され、共用部分の複数のゾーン区分ごとまたは居室５０の各部屋の設置される。ここで、ゾーン区分とは、例えば、ロビー、各階のエレベータ前、各廊下等である。報知装置１０は、第１無線通信方式４０に対応しており、識別情報であるＵＵＩＤを定期的に報知する。第１無線通信方式４０の一例は、Ｂｌｕｅｔｏｏｔｈ  Ｌｏｗ  Ｅｎｅｒｇｙであるが、これに限定されずに他の近距離無線通信技術であってもよい。
【００２１】
ＵＵＩＤは、報知装置１０を識別するためのユニークなＩＤであり、１２８ビット＝１６オクテットによって構成される。例えば、ＵＵＩＤは、例えば、次のように示される。
ｘｘｘｘｘｘｘｘ（要素１）−ｘｘ（要素２）−ｘ（要素３）−ｘ（要素４）−ｘ（要素５）−ｘｘ（要素６）−ｘ（要素７）
ここで、（要素１）は、８オクテットを有したサービス種別を示す。サービス種別は、例えば、５０４１４Ｅ４１などのように固定値である。（要素２）は、２オクテットを有した物件ＩＤを示す。（要素３）は、１オクテットを有した棟番号を示す。（要素４）は、１オクテットを有したフロア番号である。（要素５）は、１オクテットを有した機器種別である。例えば、単独「０」、親機内蔵「１」、ロビー内蔵「２」のように設定される。（要素６）は、２オクテットを有した機器ＩＤである。例えば、部屋番号とされる。（要素７）は、１オクテットを有した装置番号であり、装置番号とは、機器に接続された装置のＩＤである。このように、ＵＵＩＤは、棟番号、フロア番号、機器ＩＤなどから生成されており、１０１号室の場合は、「５０４１４Ｅ４１−３−１−１−１−６５−１」のように示される。
【００２２】
以下では、ＵＵＩＤの生成を含め、報知装置１０の構成を先に説明する。図２は、報知装置１０の構成を示す。報知装置１０は、受付部６０、設定部６２、ネットワークＩＦ６４、処理部６６、報知部６８を含む。
【００２３】
受付部６０は、管理人等からの入力を受けつける。具体的には、受付部６０は、ＬＣＤ（Ｌｉｑｕｉｄ  Ｃｒｙｓｔａｌ  Ｄｉｓｐｌａｙ）などの設定画面への入力またはディップスイッチなどでの設定を受けつける。受付内容は、前述のＵＵＩＤを構成する情報のうち、（要素４）フロア番号、（要素５）機器種別、（要素６）機器ＩＤ、（要素７）装置番号である。設定部６２は、受付部６０から（要素４）フロア番号、（要素５）機器種別、（要素６）機器ＩＤ、（要素７）装置番号の情報を受けつけ、これらを設定する。ネットワークＩＦ６４は、図示しない共用部幹線４４あるいは占有幹線４６に接続されており、これを介して制御装置２０に接続される。ネットワークＩＦ６４は、設定部６２において設定された情報を制御装置２０に送信する。
【００２４】
図１の制御装置２０には、前述のＵＵＩＤを構成する情報のうち、（要素１）サービス種別、（要素２）物件ＩＤ、（要素３）棟番号が設定されている。制御装置２０は、各報知装置１０から、（要素４）フロア番号から（要素７）装置番号の情報を受けつけ、これらと、（要素１）サービス種別から（要素３）棟番号を合成することによって、報知装置１０ごとに異なったＵＵＩＤを生成する。制御装置２０は、生成したＵＵＩＤを報知装置１０に送信する。また、制御装置２０は、このようなＵＵＩＤを複数の報知装置１０に対して生成し、それらを収集することによって、ＵＵＩＤリストを生成する。なお、制御装置２０は、報知装置１０が増設されたり、移設されたりした場合に、ＵＵＩＤおよびＵＵＩＤリストを更新する。制御装置２０は、ＧＷ２２、ネットワーク１６を介してサーバ装置１８にＵＵＩＤリストを送信する。サーバ装置１８は、全件に対するＵＵＩＤリストを保持する。図２に戻る。
【００２５】
処理部６６は、ネットワークＩＦ６４を介して、制御装置２０からのＵＵＩＤを受けつける。処理部６６は、ＵＵＩＤを保持する。つまり、ＵＵＩＤは、報知装置１０において設定された情報と、制御装置２０において設定された情報とを合成することによって生成されている。報知部６８は、例えば、Ｂｌｕｅｔｏｏｔｈ  Ｌｏｗ  Ｅｎｅｒｇｙの通信機能を備え、Ａｄｖｅｒｔｉｓｉｎｇフレームを定期的に報知する。Ａｄｖｅｒｔｉｓｉｎｇは、本報知装置１０の存在を周囲に一定時間ごとに通知するためのものである。後述の無線端末装置１２は、報知装置１０とのペアリングがなされていなくても、報知装置１０からのＡｄｖｅｒｔｉｓｉｎｇフレームを受信可能である。
【００２６】
図３（ａ）−（ｂ）は、報知装置１０から報知されるパケット信号のフォーマットを示す。図３（ａ）におけるＡｄｖｅｒｔｉｓｉｎｇフレームには、１６ビットのヘッダと、ペイロードが含まれる。ペイロードの構成は、図３（ｂ）に示されており、６オクテットのＡｄｖＡと、０−３１オクテットのＡｄｖデータによって構成される。Ａｄｖデータには、１２８ビットのＵＵＩＤが含まれる。後述の無線端末装置１２が、Ａｄｖｅｒｔｉｓｉｎｇフレーム中のＵＵＩＤを取得すると、無線端末装置１２にインストールされたアプリケーションプログラムが、このＵＵＩＤに応じた動作を実行する。無線端末装置１２では、報知装置１０によって形成されるエリアへの入出検知や距離計測が可能になる。図１に戻る。
【００２７】
無線端末装置１２は、集合住宅を移動している人物によって携帯される。無線端末装置１２は、スマートフォン、携帯電話端末装置のような、アプリケーションプログラムを実行可能な通信装置である。無線端末装置１２は、第１無線通信方式４０に対応するとともに、第２無線通信方式４２にも対応する。第２無線通信方式４２は、携帯電話システム、無線ＭＡＮ（Ｍｅｔｒｏｐｏｌｉｔａｎ  Ａｒｅａ  Ｎｅｔｗｏｒｋ）、無線ＬＡＮ（Ｌｏｃａｌ  Ａｒｅａ  Ｎｅｔｗｏｒｋ）等であり、第１無線通信方式４０よりも伝送距離が長い。無線端末装置１２は、第２無線通信方式４２によって基地局装置１４に接続される。
【００２８】
このような構成によって、無線端末装置１２は、報知装置１０の近傍に位置する場合に、当該報知装置１０から報知されたＡｄｖｅｒｔｉｓｉｎｇフレームを第１無線通信方式４０で受信し、ＵＵＩＤを取得する。また、無線端末装置１２は、Ａｄｖｅｒｔｉｓｉｎｇフレームに対して、ＩＮあるいはＯＵＴを判定し、前述のごとく、これを状態情報を生成する。無線端末装置１２は、ＵＵＩＤと状態情報とユーザＩＤとの組合せを第２無線通信方式４２で制御装置２０に送信する。無線端末装置１２におけるＵＵＩＤと状態情報とユーザＩＤとの組合せを送信する動作については、後述する。
【００２９】
基地局装置１４は、ネットワーク１６に接続されており、ネットワーク１６を介して、サーバ装置１８、ＧＷ２２に接続される。ネットワーク１６は、インターネット等であり、ＧＷ２２は、ネットワーク１６と制御装置２０との間に配置されるネットワークノードである。無線端末装置１２から送信されたＵＵＩＤと状態情報とユーザＩＤとの組合せは、基地局装置１４、ネットワーク１６を介してサーバ装置１８に受信される。また、これらの組合せは、サーバ装置１８による転送によって、制御装置２０に受信される。前述のごとく、ユーザＩＤは、無線端末装置１２ごとに異なっており、ＵＵＩＤは、報知装置１０ごとに異なっている。また、ＵＵＩＤは、ＵＵＩＤリストとして、制御装置２０に予め管理されている。そのため、制御装置２０は、ＵＵＩＤと状態情報とユーザＩＤとの組合せによって、無線端末装置１２を所持した人物が、報知装置１０が設置された位置の近傍に位置していることを認識可能である。
【００３０】
制御装置２０は、受信した組合せを記憶していくことによって、移動の履歴を生成する。また、制御装置２０は、ユーザＩＤに対する位置的条件と時間的条件とを予め記憶しており、履歴が位置的条件と時間的条件に合う場合に、それらの条件に対応した制御を機器に対して実行する。例えば、居住者が、夕方に廊下を移動している場合に、制御装置２０は、エアーコンディショナ３８を動作させる。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３２】
図４は、無線端末装置１２の構成を示す。無線端末装置１２は、受信部７０、処理部７２、記憶部７４、通信部７６、ＩＦ部７８を含み、処理部７２は、検出部８０を含む。受信部７０は、第１無線通信方式４０に対応しており、Ａｄｖｅｒｔｉｓｉｎｇフレームを探索する。受信部７０は、図示しない報知装置１０によって報知されたＡｄｖｅｒｔｉｓｉｎｇフレームを受信する。受信部７０は、Ａｄｖｅｒｔｉｓｉｎｇフレームに含まれたＵＵＩＤを取得する。受信部７０は、ＵＵＩＤを処理部７２に出力する。
【００３３】
記憶部７４は、無線端末装置１２において実行可能なアプリケーションプログラムを記憶する。記憶部７４において記憶されるアプリケーションプログラムは複数であってもよい。また、記憶部７４は、予め付与されたユーザＩＤも記憶する。ユーザＩＤは、無線端末装置１２を識別するための情報であり、無線端末装置１２ごとに異なった値である。
【００３４】
処理部７２は、受信部７０からＵＵＩＤを取得すると、ＵＵＩＤから８オクテットのサービス種別を抽出する。なお、ＵＵＩＤ全体がサービス種別を指定する場合、処理部７２は、ＵＵＩＤ全体をサービス種別として取得する。処理部７２は、サービス種別が「５０４１４Ｅ４１」など予め定められた値であるか判別し、予め定められた値であれば、記憶部７４に記憶された専用のアプリケーションプログラムを起動する。また、当該専用のアプリケーションプログラムが既に起動されている場合、処理部７２は、当該専用のアプリケーションプログラムを実行する。ここで、「５０４１４Ｅ４１」は、集合住宅向けのサービスを示す。つまり、処理部７２は、受信部７０において受信したＵＵＩＤに関連づけられた専用のアプリケーションプログラムを実行する。
【００３５】
検出部８０は、受信部７０からＵＵＩＤを取得する。また、検出部８０は、１つのＵＵＩＤを非受信である第１状態から、当該ＵＵＩＤを受信する第２状態へ遷移したことを検出する。なお、ＵＵＩＤを非受信であることは、受信部７０からのＵＵＩＤを受けつけないことによって認識される。この遷移は、前述の「ＩＮ」を検出したことに相当し、本無線端末装置１２が、当該ＵＵＩＤを報知している報知装置１０の近傍に近づいた状態である。また、検出部８０は、当該ＵＵＩＤに対して、第２状態から第１状態へ遷移したことも検出する。この遷移は、前述の「ＯＵＴ」を検出したことに相当し、本無線端末装置１２が、当該ＵＵＩＤを報知している報知装置１０の近傍から離れた状態である。検出部８０は、「ＩＮ」あるいは「ＯＵＴ」を検出した場合に、状態情報を生成する。前述のごとく、状態情報では、検出された「ＩＮ」あるいは「ＯＵＴ」が示されており、つまり第１状態から第２状態への遷移を示す情報、あるいは第２状態から第１状態への遷移を示す情報が含まれている。
【００３６】
処理部７２において実行されているアプリケーションプログラムは、記憶部７４からユーザＩＤを取得する。アプリケーションプログラムは、ＵＵＩＤと状態情報とユーザＩＤとの組合せの送信を通信部７６に指示する。通信部７６は、第２無線通信方式４２に対応しており、処理部７２において実行したアプリケーションプログラムによって、第２無線通信方式４２で、ＵＵＩＤと状態情報とユーザＩＤとの組合せを図示しない基地局装置１４に送信する。これらの組合せの最終的な宛先は、サーバ装置１８である。
【００３７】
ＩＦ部７８は、ユーザインターフェイスであり、画像を表示するためのディスプレイ等の表示部、入力を受けつけるためのキーボード等の操作部を含む。ＩＦ部７８は、タッチパネルのように、表示部と操作部とを一体的に備えていてもよい。前述のユーザＩＤは、ＩＦ部７８に対して入力されてもよい。
【００３８】
図５は、無線端末装置１２から送信される信号の概要を示す。図示のごとく、第１報知装置１０ａ、第２報知装置１０ｂ、第３報知装置１０ｃが一列に並んで配置されている。第１エリア１５０ａは、第１報知装置１０ａからのＡｄｖｅｒｔｉｓｉｎｇフレームを受信可能な範囲である。第２エリア１５０ｂは、第２報知装置１０ｂからのＡｄｖｅｒｔｉｓｉｎｇフレームを受信可能な範囲である。第３エリア１５０ｃは、第３報知装置１０ｃからのＡｄｖｅｒｔｉｓｉｎｇフレームを受信可能な範囲である。説明を明確にするために、第１エリア１５０ａから第３エリア１５０ｃは、互いに重なっていないとする。
【００３９】
無線端末装置１２を所持している人物が、第１報知装置１０ａから第３報知装置１０ｃの方向に移動しているとする。そのため、無線端末装置１２は、「ＩＮ１」に沿って、第１エリア１５０ａの外から内に移動した後に、「ＯＵＴ１」に沿って、第１エリア１５０ａの内から外に移動する。これに続いて、無線端末装置１２は、「ＩＮ２」、「ＯＵＴ２」、「ＩＮ３」、「ＯＵＴ３」の順に移動する。無線端末装置１２は、「ＩＮ１」の移動をした場合に、第１報知装置１０ａのＵＵＩＤを取得するとともに、「ＩＮ」を検出する。無線端末装置１２は、第１報知装置１０ａのＵＵＩＤ、「ＩＮ」の状態情報、ユーザＩＤの組合せを第１経路１６０で基地局装置１４に送信する。基地局装置１４は、組合せを第２経路１６２でサーバ装置１８に送信し、サーバ装置１８は、組合せを第３経路１６４で制御装置２０に送信する。制御装置２０は、組合せを受信する。
【００４０】
無線端末装置１２は、「ＯＵＴ１」の移動をした場合、第１報知装置１０ａのＵＵＩＤを取得しなくなるとともに、「ＯＵＴ」を検出する。無線端末装置１２は、第１報知装置１０ａのＵＵＩＤ、「ＯＵＴ」の状態情報、ユーザＩＤの組合せを第１経路１６０で基地局装置１４に送信する。基地局装置１４は、組合せを第２経路１６２でサーバ装置１８に送信し、サーバ装置１８は、組合せを第３経路１６４で制御装置２０に送信する。制御装置２０は、組合せを受信する。「ＩＮ２」、「ＯＵＴ２」、「ＩＮ３」、「ＯＵＴ３」に対しても、同様の組合せが制御装置２０に送信される。制御装置２０は、受信した組合せをもとに、履歴を生成する。履歴は、「ＩＮ１」、「ＯＵＴ１」、「ＩＮ２」、「ＯＵＴ２」、「ＩＮ３」、「ＯＵＴ３」の順の移動を示している。その結果、制御装置２０は、第１報知装置１０ａから第３報知装置１０ｃの方向に無線端末装置１２が移動していることを認識する。
【００４１】
図６は、制御装置２０の構成を示す。制御装置２０は、ネットワークＩＦ１１０、処理部１１２、記憶部１１４を含む。ネットワークＩＦ１１０は、受信部１１６、送信部１１８を含み、処理部１１２は、登録部１２０、判定部１２２、指示部１２４を含む。受信部１１６は、ＧＷ２２を介してネットワーク１６に接続されており、基地局装置１４、ネットワーク１６、ＧＷ２２を介して、無線端末装置１２からの組合せを受信する。この組合せは、第１状態から第２状態へ遷移したことを示す状態情報とＵＵＩＤとユーザＩＤとの第１の組合せ、第２状態から第１状態へ遷移したことを示す状態情報とＵＵＩＤとユーザＩＤとの第２の組合せのいずれかである。受信部１１６は、受信した組合せを処理部１１２に出力する。
【００４２】
処理部１１２は、受信部１１６からの組合せを記憶部１１４に記憶させる。記憶部１１４は、組合せの履歴を記憶する。図７は、記憶部１１４に記憶された履歴のデータ構造を示す。図示のごとく、ユーザＩＤ欄２００、ＵＵＩＤ欄２０２、時刻欄２０４、状態欄２０６が含まれる。ユーザＩＤ欄２００、ＵＵＩＤ欄２０２、状態欄２０６には、組合せが入力される。なお、状態欄２０６には、状態情報である「ＯＵＴ」あるいは「ＩＮ」が入力される。時刻欄２０４には、受信部１１６において組合せを受信した時刻が入力される。図６に戻る。
【００４３】
登録部１２０は、集合住宅内の位置により制御すべき機器のシナリオの登録を受けつける。このシナリオは、管理人によるＰＣ（Ｐｅｒｓｏｎａｌ  Ｃｏｍｐｕｔｅｒ）／タブレット／管理人室親機の使用によって予め作成されている。これらのＰＣ等は、第２無線通信方式４２に対応しており、ＰＣ等において生成されたシナリオは、基地局装置１４、ネットワーク１６、ＧＷ２２を介して、制御装置２０に受信される。ここでは、シナリオの具体例を説明する。
【００４４】
図８（ａ）−（ｂ）は、登録部１２０に登録すべき条件を設定するための画面を示す。これは、ＰＣ等においてシナリオを作成する際に、ＰＣ等のモニタに表示される画面である。図８（ａ）は、１つ目の具体例を示す。ユーザＩＤには、シナリオの対象となる無線端末装置１２を識別するためのＩＤが示される。移動方向は、「ロビーから１Ｆエレベータホール」のように示されている。これは、位置的条件ともいえる。登録部１２０では、ロビーのような集合住宅内の位置と、報知装置１０が設置された位置との対応関係を認識している。そのため、登録部１２０は、「ロビーから１Ｆエレベータホール」の位置的条件を受けつけると、これを「第１報知装置１０ａから第３報知装置１０ｃ」の位置的条件に変換する。移動時間は、「１８０秒以内」のように示され、これは、位置的条件に示された区間を移動する時間である。時間帯は、「１８：００から２３：００」のように示される。移動時間および時間帯は、時間的条件ともいえる。動作には、制御装置２０によって制御される機器と、その制御内容が示される。これは、指示内容ともいえる。図８（ｂ）は、２つ目の具体例を示す。内容は、図８（ａ）と異なるが、ユーザＩＤ、位置的条件、時間的条件、指示内容が同様に含まれる。図６に戻る。
【００４５】
登録部１２０は、シナリオの登録を受けつけると、これを記憶部１１４に記憶させる。記憶部１１４は、登録されたシナリオであるデータベースを記憶する。図９は、記憶部１１４に記憶されたデータベースのデータ構造を示す。図示のごとく、ユーザＩＤ欄２１０、位置的条件２１２、時間的条件２１４、指示内容２１６が含まれる。図８（ａ）のように示された１つのシナリオが１行にまとめられて入力される。図６に戻る。
【００４６】
判定部１２２は、記憶部１１４に記憶された履歴とデータベースとを比較し、データベースにおけるユーザＩＤ、位置的条件、時間的条件に合致する履歴が存在するかを判定する。具体的に説明すると、まず、判定部１２２は、データベースにおけるユーザＩＤに一致したユーザＩＤを履歴から選択する。次に、判定部１２２は、選択したユーザＩＤに対するＵＵＩＤ、時刻、状態から、移動方向、移動時間、時間帯を特定する。さらに、判定部１２２は、特定した移動方向、移動時間、時間帯が、データベースにおける位置的条件、時間的条件に合うかを確認する。合う場合、判定部１２２は、位置的条件、時間的条件に対応した指示内容をデータベースから抽出する。判定部１２２は、抽出した指示内容を指示部１２４に出力する。合わない場合、判定部１２２は、処理を終了する。
【００４７】
指示部１２４は、判定部１２２からの指示内容を受けつけると、指示内容に応じて機器を制御する。これは、受信部１１６において受信した第１の組合せと第２の組合せをもとに、機器を制御することに相当する。
【００４８】
以上の構成による制御システム１００の動作を説明する。図１０は、制御システム１００による通信手順を示すシーケンス図である。第１報知装置１０ａは、ＵＵＩＤを報知する（Ｓ１０）。無線端末装置１２は、ＵＵＩＤを受信すると、ＩＮを検出する（Ｓ１２）。無線端末装置１２は、組合せを基地局装置１４に送信し（Ｓ１４）、基地局装置１４は、組合せを制御装置２０に送信する（Ｓ１６）。無線端末装置１２は、ＵＵＩＤを受信しなくなると、ＯＵＴを検出する（Ｓ１８）。無線端末装置１２は、組合せを基地局装置１４に送信し（Ｓ２０）、基地局装置１４は、組合せを制御装置２０に送信する（Ｓ２２）。制御装置２０は、履歴をもとに制御を決定する（Ｓ２４）。制御装置２０は、照明制御装置２６に指示を出力し（Ｓ２６）、照明制御装置２６は、照明を点灯させる（Ｓ２８）。
【００４９】
図１１は、無線端末装置１２による通信手順を示すフローチャートである。検出部８０は、ＩＮまたはＯＵＴを検出すると（Ｓ５０のＹ）、通信部７６は、ＩＮまたはＯＵＴが示された情報を送信する（Ｓ５２）。検出部８０は、ＩＮまたはＯＵＴを検出しなければ（Ｓ５０のＮ）、ステップ５２をスキップする。
【００５０】
図１２は、制御装置２０による制御手順を示すフローチャートである。受信部１１６は、ＩＮまたはＯＵＴが示された情報を受信する（Ｓ１００）。処理部１１２は、記憶部１１４に記憶された履歴を更新する（Ｓ１０２）。判定部１２２は、ユーザＩＤがシナリオにあれば（Ｓ１０４のＹ）、ユーザＩＤに対応したシナリオを読み取る（Ｓ１０６）。判定部１２２が、位置的条件に合い（Ｓ１０８のＹ）、時間的条件に合えば（Ｓ１１０のＹ）、指示部１２４は、機器を制御する（Ｓ１１２）。判定部１２２において、ユーザＩＤがシナリオにない場合（Ｓ１０４のＮ）、あるいは位置的条件に合わない場合（Ｓ１０８のＮ）、あるいは時間的条件に合わない場合（Ｓ１１０のＮ）、処理は終了される。
【００５１】
本発明の実施例によれば、第１無線通信方式によって報知されたＵＵＩＤを受信し、第２無線通信方式でＵＵＩＤを送信するので、画像の処理を不要にできる。また、画像の処理が不要になるので、処理を簡易にできる。また、第１無線通信方式として近距離無線通信技術が使用されるので、報知装置１０は、限定的なエリアにＵＵＩＤを報知できる。また、限定的に報知されたＵＵＩＤを使用するので、無線端末装置が存在する位置を特定できる。また、報知装置１０が設置された位置に応じて、ＵＵＩＤが付与されるので、ＵＵＩＤをもとに位置を特定できる。また、無線端末装置ごとにユーザＩＤが付与されるので、ユーザＩＤをもとに、無線端末装置を特定できる。また、ＵＵＩＤに加えて、状態の遷移も送信するので、無線端末装置の移動を特定できる。
【００５２】
また、シナリオが示されたデータベースと、履歴とを比較して、位置的条件および時間的条件に合う場合に、機器を制御するので、人物が存在する位置に応じた機器を制御できる。また、履歴が位置的条件および時間的条件に合うと判定した場合に、データベースに含まれた指示内容を取得するので、処理を簡易にできる。また、人物が存在する位置に応じた機器を制御するので、利便性を向上できる。
【００５３】
本発明の一態様の概要は、次の通りである。本発明のある態様の無線端末装置１２は、第１無線通信方式４０によって報知された識別情報を非受信である第１状態から、識別情報を受信する第２状態へ遷移したことを検出する検出部８０と、検出部８０において検出した遷移であって、かつ第１状態から第２状態への遷移を示す情報と、識別情報との組合せを、第１無線通信方式４０とは異なった第２無線通信方式４２で送信する通信部７６とを備える。検出部８０は、第２状態から第１状態へ遷移したことも検出し、通信部７６は、検出部８０において検出した遷移であって、かつ第２状態から第１状態への遷移を示す情報と、識別情報との組合せも第２無線通信方式４２で送信する。
【００５４】
本発明の別の態様は、制御装置２０である。この装置は、無線端末装置１２によって生成された（１）第１無線通信方式４０によって報知された識別情報を非受信である第１状態から、識別情報を受信する第２状態へ遷移したことを示す情報と識別情報との第１の組合せ、（２）第２状態から第１状態へ遷移したことを示す情報と識別情報との第２の組合せをそれぞれ第１無線通信方式４０とは異なった第２無線通信方式４２経由で受信する受信部１１６と、受信部１１６において受信した第１の組合せと第２の組合せをもとに、機器を制御する指示部１２４と、を備える。
【００５５】
本発明のさらに別の態様は、制御システム１００である。この制御システム１００は、第１無線通信方式４０で識別情報を報知する報知装置１０と、（１）識別情報を非受信である第１状態から、識別情報を受信する第２状態へ遷移したことを示す情報と識別情報との第１の組合せ、（２）第２状態から第１状態へ遷移したことを示す情報と識別情報との第２の組合せをそれぞれ第１無線通信方式４０とは異なった第２無線通信方式４２で送信する無線端末装置１２と、無線端末装置１２から送信された第１の組合せと第２の組合せを受信する制御装置２０とを備える。制御装置２０は、第１の組合せと第２の組合せをもとに、機器を制御する。
【００５６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５７】
本実施例において、制御システム１００はマンション等の集合住宅に設置されている。しかしながらこれに限らず例えば、制御システム１００は、オフィスや工場等の建物内、あるいは建物外に設置されてもよい。本変形例によれば、本実施例の適用範囲を拡大できる。
【００５８】
本実施例において、ＵＵＩＤには、（要素１）サービス種別から（要素７）装置番号が含まれている。しかしながらこれに限らず例えば、ＵＵＩＤには、（要素２）物件ＩＤから（要素７）装置番号が含まれずに、１６オクテットのサービス種別だけがＵＵＩＤに含まれてもよい。その際、無線端末装置１２は、Ａｄｖｅｒｔｉｓｉｎｇフレームを受信した後に、基地局装置１４、ネットワーク１６を介して、制御装置２０から、（要素２）物件ＩＤから（要素７）装置番号を取得してもよい。本変形例によれば、Ａｄｖｅｒｔｉｓｉｎｇフレームの情報量を低減できる。
【符号の説明】
【００５９】
１０  報知装置、  １２  無線端末装置、  １４  基地局装置、  １６  ネットワーク、  １８  サーバ装置、  ２０  制御装置、  ４０  第１無線通信方式（第１の無線通信方式）、  ４２  第２無線通信方式（第２の無線通信方式）、  ４４  共用部幹線、  ４６  占有幹線、  ４８  通信システム、  ６０  受付部、  ６２  設定部、  ６４  ネットワークＩＦ、  ６６  処理部、  ６８  報知部、  ７０  受信部、  ７２  処理部、  ７４  記憶部、  ７６  通信部（送信部）、  ７８  ＩＦ部、  ８０  検出部、  １００  制御システム、  １１０  ネットワークＩＦ、  １１２  処理部、  １１４  記憶部、  １１６  受信部、  １１８  送信部、  １２０  登録部、  １２２  判定部、  １２４  指示部。
【図１】
2016171484.tif 000003
【図２】
2016171484.tif 000004
【図３】
2016171484.tif 000005
【図４】
2016171484.tif 000006
【図５】
2016171484.tif 000007
【図６】
2016171484.tif 000008
【図７】
2016171484.tif 000009
【図８】
2016171484.tif 000010
【図９】
2016171484.tif 000011
【図１０】
2016171484.tif 000012
【図１１】
2016171484.tif 000013
【図１２】
2016171484.tif 000014